(57)【要約】【課題】外線ケーブルの引き込みが容易であると共に、据付前の準備と復旧作業を含めた作業時間を短縮することが可能な筐体構造のスイッチギヤを得る。【解決手段】スイッチギヤは、ケーブル室３を囲む床板１３と背面側の側壁１５に亘ってフレームを介さない開口部１７を有しており、この開口部１７を覆うＬ字型カバー１８を取り外すだけで外線ケーブル６をケーブル室３の内部に引き込むことが可能である。また、外線ケーブル６をケーブル室３内の端子と接続した後は、Ｌ字型カバー１８を取り付けるだけで据付作業が完了することから、据付前の準備と復旧作業を含めた作業時間を短縮することが可能である。【選択図】図１
2016220486.tif 000002
【特許請求の範囲】
【請求項１】
天板、床板、及び側壁をフレームで支持した筐体を有し、前記筐体の内部に外線ケーブルと接続される端子が配置されたケーブル室を備えたスイッチギヤであって、
前記筐体は、前記ケーブル室を囲む前記床板に設けられた床面開口部と前記ケーブル室を囲む背面側の前記側壁に設けられた背面開口部が前記フレームを介さずに一体化された開口部を有し、前記開口部を覆う断面Ｌ字状のカバーが着脱可能に取り付けられると共に、前記カバーを取り付けた状態において前記床面開口部の一部が前記外線ケーブルの引込部として開口していることを特徴とするスイッチギヤ。
【請求項２】
前記カバーは、前記床面開口部を覆う第１の金属部材と、前記第１の金属部材に取り外し可能に固定され前記背面開口部を覆う第２の金属部材を含み、前記第１の金属部材と前記第２の金属部材が一体化した状態で前記筐体に着脱可能であると共に、前記第２の金属部材のみを前記筐体に着脱可能であることを特徴とする請求項１記載のスイッチギヤ。
【請求項３】
前記第１の金属部材は、断面Ｌ字状のフレームであることを特徴とする請求項２記載のスイッチギヤ。
【請求項４】
前記カバーは、前記筐体にボルトで固定されていることを特徴とする請求項１から請求項３のいずれか一項に記載のスイッチギヤ。
【請求項５】
前記床面開口部の一部を覆う床面カバーを備え、前記床面カバーは前記外線ケーブルの引込部となる穴を有することを特徴とする請求項１から請求項４のいずれか一項に記載のスイッチギヤ。
【発明の詳細な説明】
【技術分野】
【０００１】
本発明は、金属閉鎖型の筐体を備えたスイッチギヤの筐体構造に関する。
【背景技術】
【０００２】
スイッチギヤの筐体内部は、ケーブル室、遮断器室、制御室等に区画され、各室には電路となる母線や分岐導体、真空遮断器、継電器、または電流、電圧を計測する計器用変成器等が収納されている。ケーブル室に配置された端子は、変電所等から電力を供給するために屋内の床面または屋外の地面等に敷設された外線ケーブルと接続される。
【０００３】
スイッチギヤを新規で設置する場合、スイッチギヤを設置後に外線ケーブルを筐体内部に引き込むが、この作業は筐体の構造上特に問題はない。一方、既設のスイッチギヤが更新時期となり、スイッチギヤだけを更新し、外線ケーブルは既設のものを流用する場合、スイッチギヤを撤去した後の外線ケーブルは、ケーブルピットから立ち上がっている状態であり、従来の筐体構造では筐体内部に引き込む作業に時間を要していた。
【０００４】
既設の外線ケーブルを引き込むための筐体構造として、特許文献１には、図１４に示すように、据付のために筐体を床面に沿って水平方向に移動する際に、外線ケーブルと干渉する可能性のある幅方向フレーム３０を正規の位置から取り外し、ケーブル引込部３１に影響しないフレーム固定部３２に対してボルトで仮固定するようにしたスイッチギヤが提案されている。
【０００５】
また、特許文献２には、図１５に示すように、ケーブル挿通用の開口部Ａを通る鉛直方向の面Ｂ部分で前後に２つに分割された第１フレーム３３と第２フレーム３４から構成される筐体が提示されている。さらに、特許文献３には、図１６に示すように、箱体３５を水平方向に移動させることで電力ケーブルを箱体３５の外方に位置させる開放通路３６を備えたスイッチギヤが提示されている。
【先行技術文献】
【特許文献】
【０００６】
【特許文献１】特開２０１１−１６７０２２号公報
【特許文献２】特開２０１０−２１３３９７号公報
【特許文献３】特許第５５４７２４０号公報
【発明の概要】
【発明が解決しようとする課題】
【０００７】
上記特許文献１〜特許文献３に示された筐体構造では、外線ケーブルを引き込むための準備として、フレーム、カバー等を取り外すことで開口部を確保しているが、取り外す部品数が多い。このため、外線ケーブルを筐体内部に引き込む作業は容易となるが、そのための準備と元の状態に戻すための復旧作業に時間を要するという問題があった。
【０００８】
具体的には、特許文献１では、裏面カバーと幅方向フレームを取り外し、さらに取り外した幅方向フレームを電力ケーブルと干渉しない位置に仮固定する必要がある。特許文献２では、外線ケーブルを引き込む際に筐体を分離し、裏面側の筐体を取り外す構造であるが、この裏面側の筐体は、断面Ｌ字状のフレームに板材をボルトまたは溶接等で接着したものであり、重量があり着脱作業が容易ではない。また、特許文献３では、開放通路３６を形成するために、下部補強材３７、前部補強材３８及び補強板３９を取り外す必要がある。
【０００９】
本発明は、上記のような課題を解決するためになされたものであり、外線ケーブルの引き込みが容易であると共に、据付前の準備と復旧作業を含めた作業時間を短縮することが可能な筐体構造のスイッチギヤを得ることを目的とする。
【課題を解決するための手段】
【００１０】
本発明に係るスイッチギヤは、天板、床板、及び側壁をフレームで支持した筐体を有し、筐体の内部に外線ケーブルと接続される端子が配置されたケーブル室を備えたスイッチギヤであって、筐体は、ケーブル室を囲む床板に設けられた床面開口部とケーブル室を囲む背面側の側壁に設けられた背面開口部がフレームを介さずに一体化された開口部を有し、開口部を覆う断面Ｌ字状のカバーが着脱可能に取り付けられると共に、カバーを取り付けた状態において床面開口部の一部が外線ケーブルの引込部として開口しているものである。
【発明の効果】
【００１１】
本発明に係るスイッチギヤによれば、ケーブル室を囲む床板と背面側の側壁に亘ってフレームを介さない開口部を有しているので、開口部を覆う断面Ｌ字状のカバーを取り外すだけで、外線ケーブルをケーブル室に容易に引き込むことができ、また外線ケーブルをケーブル室内の端子と接続した後は、カバーを取り付けるだけで据付作業が完了することから、据付前の準備と復旧作業を含めた作業時間を短縮することが可能である。
【図面の簡単な説明】
【００１２】
【図１】本発明の実施の形態１に係るスイッチギヤを側面から見た断面図である。
【図２】本発明の実施の形態１に係るスイッチギヤを背面から見た正面図及び下面図である。
【図３】本発明の実施の形態１に係るスイッチギヤのＬ字型カバーを示す側面図、正面図及び下面図である。
【図４】本発明の実施の形態１に係るスイッチギヤの据付手順を説明する図である。
【図５】本発明の実施の形態１に係るスイッチギヤの別のＬ字型カバーの例を示す下面図である。
【図６】本発明の実施の形態２に係るスイッチギヤを示す下面図である。
【図７】本発明の実施の形態２に係るスイッチギヤの据付手順を説明する図である。
【図８】本発明の実施の形態３に係るスイッチギヤを背面から見た正面図及び下面図である。
【図９】本発明の実施の形態３に係るスイッチギヤのＬ字型カバーを構成する金属フレームを示す側面図、正面図及び下面図である。
【図１０】本発明の実施の形態３に係るスイッチギヤのＬ字型カバーを構成する金属板を示す側面図及び正面図である。
【図１１】本発明の実施の形態３に係るスイッチギヤのＬ字型カバーを示す断面図である。
【図１２】本発明の実施の形態３に係るスイッチギヤの据付手順を説明する図である。
【図１３】本発明の実施の形態３に係るスイッチギヤの点検時の状態を示す図である。
【図１４】従来のスイッチギヤの構成を説明する図である。
【図１５】従来の別のスイッチギヤの構成を説明する図である。
【図１６】従来のさらに別のスイッチギヤの構成を説明する図である。
【発明を実施するための形態】
【００１３】
実施の形態１．
以下に、本発明の実施の形態１に係るスイッチギヤについて、図面に基づいて説明する。図１は、本実施の形態１に係るスイッチギヤを側面から見た断面図、図２（ａ）は、本実施の形態１に係るスイッチギヤを背面から見た正面図、（ｂ）は下面図である。また、図３（ａ）は、本実施の形態１に係るスイッチギヤのＬ字型カバーを示す側面図、（ｂ）は正面図、（ｃ）は下面図である。なお、各図において、同一、相当部分には同一符号を付している。
【００１４】
本実施の形態１に係るスイッチギヤは、図１に示すような金属閉鎖型の筐体１を備えている。筐体１は、各辺に金属製のフレーム１１ａ、１１ｂ、１１ｃ、１１ｄ・・・（総称してフレーム１１）を用い、天板１２、床板１３、及び側壁１５、仕切り壁１６等の板材をフレーム１１で支持している。
【００１５】
筐体１の内部は、仕切り壁１６により区画され、前方（図１中、左側）には真空遮断器（図示省略）が配置された遮断器室２、後方（図１中、右側）には外線ケーブルと接続される端子（図示省略）が配置されたケーブル室３が設けられている。前方の遮断器室２には開放扉１４が設けられている。なお、本実施の形態１に係るスイッチギヤの構成は、図１に示す例に限定されるものではなく、フレーム１１や仕切り壁１６の数や配置は適宜変更することができる。
【００１６】
筐体１は、ケーブル室３を囲む床板１３に設けられた床面開口部１７ａと、ケーブル室３を囲む背面側の側壁１５に設けられた背面開口部１７ｂがフレーム１１を介さずに一体化された断面Ｌ字状の開口部１７を有している。すなわち、筐体１は、背面下方の幅方向フレームが無い構造である。
【００１７】
また、図２（ａ）に示すように、筐体１の背面には、開口部１７を覆う断面Ｌ字状のＬ字型カバー１８が、複数のボルト４により着脱可能に取り付けられている。図２（ｂ）に示すように、Ｌ字型カバー１８を取り付けた状態において、床面開口部１７ａの一部がケーブル引込部５として開口している。Ｌ字型カバー１８は、図３（ａ）に示すように、側面から見るとＬ字状に加工されており、フレームの役目を担っている。また、図３（ｂ）に示すように、Ｌ字型カバー１８は、その外周に沿って複数のボルト用穴１８ａを有している。
【００１８】
本実施の形態１に係るスイッチギヤの据付手順として、既設の外線ケーブル６をスイッチギヤに引き込む場合について、図４（ａ）〜図４（ｅ）を用いて説明する。なお、図４において、矢印Ａ及び矢印ＣはＬ字型カバー１８の移動方向、矢印Ｂは筐体１の移動方向を示している。外線ケーブル６は、スイッチギヤを設置する場所の床面に設置されたケーブルピット（図示省略）から立ち上げられている。
【００１９】
まず、図４（ａ）に示す筐体１を設置場所付近に用意する。続いて、Ｌ字型カバー１８を筐体１に固定しているボルト４を取り外し、図４（ｂ）に示すようにＬ字型カバー１８を筐体１から取り外す。以上で外線ケーブル６をスイッチギヤに引き込む準備が完了する。続いて、図４（ｃ）に示すように、筐体１を正面側から背面側に向かって水平移動し、図４（ｄ）に示すように、既設の外線ケーブル６を開口部１７からケーブル室３に引き込む。この時、開口部１７はケーブル室３の床板と側壁に亘って開口しており、且つ背面下方の幅方向フレームが無いため、外線ケーブル６を容易に引き込むことができる。
【００２０】
外線ケーブル６を端子に接続した後は、図４（ｅ）に示すようにＬ字型カバー１８を筐体１に取り付け、ボルト４で固定することにより据付作業が完了する。なお、外線ケーブル６を取り外す場合も、外線ケーブル６を引き込む場合と同様である。
【００２１】
本実施の形態１におけるＬ字型カバー１８は、図３に示す形状に限定されるものではなく、様々な変形が可能である。図５は、Ｌ字型カバーの変形例を示している。図５（ａ）に示すＬ字型カバー１８Ａは、ケーブル引込部５として矩形の凹部１８ｂを有している。また、図５（ｂ）に示すＬ字型カバー１８Ｂは、ケーブル引込部５として半円形の凹部１８ｃを有している。このような構造とすることにより、ケーブル引込部５を必要最小限の大きさにすることができる。なお、凹部１８ｂ、１８ｃは、外線ケーブル６の大きさに合わせて加工するようにしても良い。
【００２２】
本実施の形態１に係るスイッチギヤによれば、ケーブル室３を囲む床板１３と背面側の側壁１５に亘ってフレームを介さない開口部１７を有しており、この開口部１７を覆うＬ字型カバー１８を取り外すだけで外線ケーブル６をケーブル室３の内部に容易に引き込むことが可能である。また、外線ケーブル６をケーブル室３内の端子と接続した後は、Ｌ字型カバー１８を取り付けるだけで据付作業が完了する。
【００２３】
従って、本実施の形態１によれば、外線ケーブル６を引き込むことが容易であり、据付前の準備と復旧作業を含めた作業時間を短縮することが可能なスイッチギヤが得られる。なお、本実施の形態１に係るスイッチギヤの筐体構造は、既設の外線ケーブル６を引き込む場合だけでなく、スイッチギヤを新設する場合にも、開口部１７が広いため外線ケーブルの引込作業が容易であり、作業時間が短縮する効果を奏する。
【００２４】
実施の形態２．
上記実施の形態１において、開口部１７、特に床面開口部１７ａをより広くしようとすると、Ｌ字型カバー１８が大型化し取り扱いにくくなる。そこで、本発明の実施の形態２では、上記実施の形態１よりも広い開口部１７を得るために、床面開口部１７ａの一部を床面カバー１９で覆うようにしたものである。
【００２５】
図６は、本発明の実施の形態２に係るスイッチギヤを示す下面図である。なお、本実施の形態２に係るスイッチギヤの全体構成は、上記実施の形態１とほぼ同様であるので、図１を流用して説明する。
【００２６】
床面カバー１９は、図６に示すように、ケーブル引込部５となる丸穴１９ａを有しており、筐体１の下部にネジ（図示省略）で固定される。Ｌ字型カバー１８と床面カバー１９は、隙間がないように一部重なっているが、締結されていない。なお、床面カバー１９の丸穴１９ａは、外線ケーブル６を引き込むための必要最小限の大きさとするために、外線ケーブル６の大きさに合わせて加工するようにしても良い。また、丸穴１９ａでなく矩形の穴であっても良い。
【００２７】
本実施の形態２に係るスイッチギヤの据付手順として、既設の外線ケーブル６をスイッチギヤに引き込む場合について、図７（ａ）〜図７（ｆ）を用いて説明する。なお、図７において、矢印Ａ及び矢印ＣはＬ字型カバー１８の移動方向、矢印Ｂは筐体１の移動方向を示している。まず、図７（ａ）に示す筐体１を設置場所付近に用意する。続いて、Ｌ字型カバー１８を筐体１に固定しているボルト４を取り外し、図７（ｂ）に示すようにＬ字型カバー１８を筐体１から取り外す。さらに、床面カバー１９を筐体１に固定しているネジを取り外し、床面カバー１９を筐体１から取り外す。以上で外線ケーブル６をスイッチギヤに引き込む準備が完了する。
【００２８】
続いて、図７（ｃ）に示すように、筐体１を正面側から背面側に向かって水平移動し、図７（ｄ）に示すように、既設の外線ケーブル６を開口部１７からケーブル室３に引き込む。この時、開口部１７はケーブル室３の床板と側壁に亘って開口しており、且つ背面下方の幅方向フレームが無いため、外線ケーブル６を容易に引き込むことができる。
【００２９】
外線ケーブル６を端子に接続した後、図７（ｅ）に示すように、床面カバー１９の丸穴１９ａに外線ケーブル６を通して床面カバー１９を元の状態に戻す。さらに、図７（ｆ）に示すようにＬ字型カバー１８を筐体１に取り付け、ボルト４で固定することにより、据付作業が完了する。なお、外線ケーブル６を取り外す場合も、外線ケーブル６を引き込む場合と同様である。
【００３０】
本実施の形態２によれば、上記実施の形態１と比較して床面カバー１９の取り外し及び取り付けの作業は増えるが、Ｌ字型カバー１８を大型化することなく、開口部１７をより広くとることが可能である。また、床面カバー１９の丸穴１９ａをケーブル引込部５とすることにより、外線ケーブル６の位置や大きさに合わせた加工や微調整が容易である。
【００３１】
実施の形態３．
図８（ａ）は、本発明の実施の形態３に係るスイッチギヤを背面から見た正面図、（ｂ）は下面図である。また、図９（ａ）は、本実施の形態３に係るスイッチギヤのＬ字型カバーを構成する金属フレームを示す側面図、（ｂ）は正面図、（ｃ）は下面図である。さらに、図１０（ａ）は、本実施の形態３に係るスイッチギヤのＬ字型カバーを構成する金属板を示す側面図、（ｂ）は正面図である。
【００３２】
上記実施の形態１及び実施の形態２では、Ｌ字型カバー１８は一枚の金属板を折り曲げたものであったが、本実施の形態３におけるＬ字型カバー２０は、第１の金属部材である金属フレーム２１と、第２の金属部材である金属板２２を含んで構成されている。なお、その他の構成については、上記実施の形態２と同様であるので説明を省略する。
【００３３】
床面開口部１７ａを覆う金属フレーム２１は、図９に示すように、断面Ｌ字状のフレームであり、複数のボルト用穴２１ａを有している。また、背面開口部１７ｂを覆う金属板２２は、図１０に示すように、その外周に沿って複数のボルト用穴２２ａを有している。金属フレーム２１と金属板２２が一体化することにより、図１１に示すような断面Ｌ字状のＬ字型カバー２０となる。
【００３４】
本実施の形態３に係るスイッチギヤの筐体１を背面から見ると、図８（ａ）に示すように、金属板２２を筐体１に固定するボルト４と、金属フレーム２１を筐体１に固定するボルト４ａと、金属板２２を金属フレーム２１に固定するボルト４ｂが締結されており、それらは外部から緩めることができる。
【００３５】
すなわち、金属板２２は、金属フレーム２１に取り外し可能に固定されており、金属フレーム２１と金属板２２が一体化した状態で筐体１に着脱可能であると共に、金属板２２単体でも筐体１に着脱可能である。なお、本実施の形態３に係るスイッチギヤは、上記実施の形態２と同様に床面カバー１９を備えているが、上記実施の形態１と同様に床面カバー１９を備えていなくても良い。
【００３６】
本実施の形態３に係るスイッチギヤの据付手順として、既設の外線ケーブル６をスイッチギヤに引き込む場合について、図１２（ａ）〜図１２（ｆ）を用いて説明する。なお、図１２において、矢印Ａ及び矢印ＣはＬ字型カバー２０の移動方向、矢印Ｂは筐体１の移動方向を示している。まず、図１２（ａ）に示す筐体１を設置場所付近に用意する。続いて、Ｌ字型カバー２０を筐体１に固定しているボルト４、４ａを取り外し、図１２（ｂ）に示すように、Ｌ字型カバー２０を筐体１から取り外す。
【００３７】
その際、金属フレーム２１と金属板２２を締結しているボルト４ｂは取り外さない。これにより、金属板２２と金属フレーム２１が一体化した状態のＬ字型カバー２０を筐体１から取り外すことができる。続いて床面カバー１９を筐体１に固定しているネジを取り外し、床面カバー１９を筐体１から取り外す。以上で外線ケーブル６をスイッチギヤに引き込む準備が完了する。
【００３８】
続いて、図１２（ｃ）に示すように、筐体１を正面側から背面側に向かって水平移動し、図１２（ｄ）に示すように、既設の外線ケーブル６を開口部１７からケーブル室３に引き込む。この時、開口部１７はケーブル室３の床板と側壁に亘って開口しており、且つ背面下方の幅方向フレームが無いため、外線ケーブル６を容易に引き込むことができる。
【００３９】
外線ケーブル６を端子に接続した後、図１２（ｅ）に示すように、床面カバー１９の丸穴１９ａに外線ケーブル６を通して床面カバー１９を元の状態に戻す。さらに、図１２（ｆ）に示すようにＬ字型カバー２０を筐体１に取り付け、ボルト４、４ａで固定することにより、据付作業が完了する。なお、外線ケーブル６を取り外す場合も、外線ケーブル６を引き込む場合と同様である。
【００４０】
一方、スイッチギヤの定期点検や清掃の際には、開口部１７を開ける必要はなく、背面開口部１７ｂが開いていれば十分である。この場合、図１３に示すように、金属板２２のみ取り外し、金属フレーム２１はそのまま筐体１に取り付けておくことができる。すなわち、金属板２２を筐体１と金属フレーム２１に固定しているボルト４、４ｂを取り外し、金属フレーム２１と筐体１を固定しているボルト４ａは締結しておく。
【００４１】
本実施の形態３によれば、上記実施の形態１または上記実施の形態２と同様の効果に加え、定期点検や清掃等、開口部１７を開ける必要がない場合には、金属板２２のみを取り外すことができるため、据付及び撤去以外の日常的な作業の作業時間も短縮することができる。なお、本発明は、その発明の範囲内において、各実施の形態を自由に組み合わせたり、各実施の形態を適宜、変形、省略したりすることが可能である。
【産業上の利用可能性】
【００４２】
本発明は、スイッチギヤの筐体構造として利用することができる。
【符号の説明】
【００４３】
１  筐体、２  遮断器室、３  ケーブル室、４、４ａ、４ｂ  ボルト、
５  ケーブル引込部、６  外線ケーブル、１１ａ、１１ｂ、１１ｃ、１１ｄ  フレーム、１２  天板、１３  床板、１４  開放扉、１５  側壁、１６  仕切り壁、１７  開口部、１７ａ  床面開口部、１７ｂ  背面開口部、
１８、１８Ａ、１８Ｂ、２０  Ｌ字型カバー、１８ａ  ボルト用穴、
１８ｂ、１８ｃ  凹部、１９  床面カバー、１９ａ  丸穴、２１  金属フレーム、
２１ａ  ボルト用穴、２２  金属板、２２ａ  ボルト用穴、３０  幅方向フレーム、
３１  ケーブル引込部、３２  フレーム固定部、３３  第１フレーム、
３４  第２フレーム、３５  箱体、３６  開放通路、３７  下部補強材、
３８  前部補強材、３９  補強板
【図１】
2016220486.tif 000003
【図２】
2016220486.tif 000004
【図３】
2016220486.tif 000005
【図４】
2016220486.tif 000006
【図５】
2016220486.tif 000007
【図６】
2016220486.tif 000008
【図７】
2016220486.tif 000009
【図８】
2016220486.tif 000010
【図９】
2016220486.tif 000011
【図１０】
2016220486.tif 000012
【図１１】
2016220486.tif 000013
【図１２】
2016220486.tif 000014
【図１３】
2016220486.tif 000015
【図１４】
2016220486.tif 000016
【図１５】
2016220486.tif 000017
【図１６】
2016220486.tif 000018